(57)【要約】【課題】支持レールの有無にかかわらず光成端箱を簡単確実に取付ける。【解決手段】前面が開放された筐体１と、光ケーブル３と分岐光ファイバ４との間の分岐部位を支持するために、筐体底面と平行に筐体１に収納されるベース板２と、筐体１の底面に形成されて雄型連結具１６を挿通させる連結孔８と、ベース板２に形成された切欠３０とを備える。雄型連結具１６は、光成端箱装着環境に配備される支持レール１１に当該光成端箱を取付ける取付け用金具１０を筐体１の底面外側に着脱可能に取り付けられる。切欠３０は、雄型連結具１６を筐体内側から連結孔８を挿通させて取り付け用金具１０に連結させる作業を許容するものである。【選択図】図２
2010054894.tif 000002
【特許請求の範囲】
【請求項１】
光ケーブルから分岐光ファイバを分岐させる光成端箱であって、
前面が開放されたあるいは前面が開放可能な筐体と、
前記光ケーブルと前記分岐光ファイバとの間の分岐部位を支持するために、筐体底面と平行に前記筐体に収納されるベース板と、
光成端箱装着環境に配備される支持レールに当該光成端箱を取付ける取付け用金具を前記筐体の底面外側に着脱可能に取り付ける雄型連結具を挿通させるために前記筐体の底面に形成された連結孔と、
前記雄型連結具を筐体内側から前記連結孔を挿通させて前記取り付け用金具に連結させる作業を許容するために、前記ベース板に形成された切欠と、
を備える、
ことを特徴とする光成端箱。
【請求項２】
光ケーブルから分岐光ファイバを分岐させる光成端箱であって、
前面が開放されたあるいは前面が開放可能な筐体と、
前記光ケーブルと前記分岐光ファイバとの間の分岐部位を支持するために、筐体底面と平行に前記筐体に収納されるベース板と、
光成端箱装着環境に配備される支持レールに当該光成端箱を取付ける取付け用金具と、
前記取付け用金具を、前記筐体の底面外側に着脱可能に取り付ける雄型連結具と、
前記筐体の底面に形成された前記雄型連結具用の連結孔と、
前記雄型連結具を筐体内側から前記連結孔を挿通させて前記取り付け用金具に連結させる作業を許容するために、前記ベース板に形成された切欠と、
を備える、
ことを特徴とする光成端箱。
【請求項３】
前記取付け用金具を複数の異なった姿勢で取り付ける複数組の前記連結孔を筐体の底面に形成し、これら連結孔に対応する複数の前記切欠を前記ベース板に形成してある、
ことを特徴とする請求項１または２記載の光成端箱。
【請求項４】
前記筐体における対向する側板を脱着可能に構成してある、
ことを特徴とする請求項１または２記載の光成端箱。
【請求項５】
前記取付け用金具は、前記支持レールの幅方向両端辺に形成された取付け用フランジの一方に係止される固定係合部と、他方の前記取付け用フランジに係脱される可動係合部材とを有する、
ことを特徴とする請求項１または２記載の光成端箱。
【請求項６】
前記可動係合部材を係合作用位置に固定操作可能に構成してある、
ことを特徴とする請求項５記載の光成端箱。
【請求項７】
前記可動係合部材の固定操作部位を前記筐体の外方に突出配備してある、
ことを特徴とする請求項５または６記載の光成端箱。
【請求項８】
前記支持レールの長手方向複数箇所に対応する複数の取付け用金具を前記筐体に装着するとともに、各可動係合部材を一体移動可能に操作部材で連結してある、
ことを特徴とする請求項６または７記載の光成端箱。
【請求項９】
複数の前記取付け用金具を単一の支持ベースに連結するとともに、前記支持ベースに対して前記筐体を支点周りに回動可能に連結してある、
ことを特徴とする請求項８記載の光成端箱。
【発明の詳細な説明】
【技術分野】
【０００１】
本発明は、マンションやオフィスビルなどの構築物に引き込まれた光ケーブルから分岐光ファイバを分岐させる際に利用する光成端箱に関する。
【背景技術】
【０００２】
光成端箱は、配電室や配電ボックスの壁面に直接にネジ連結されることが多いが、据付け現場にＤＩＮレールなどの支持レールが配備されている場合には、支持レールへの取付け仕様に構成した光成端箱を予め箱製作して現場に持ち込む必要がある。
【０００３】
支持レールへ電子機器を取付る構造としては、例えば、特許文献１に示されているように、電子機器における筐体の背面に備えた固定爪部を支持レールの一方のフランジ部へ係止した後、筐体の背面に備えた可動爪部を、支持レールの他方のフランジ部に弾性係合させる構造が用いられる。
【特許文献１】特開２００７−２９９９３６号公報
【発明の開示】
【発明が解決しようとする課題】
【０００４】
従って、支持レールの有無に対応して、壁面に直接連結する仕様の筐体と、支持レールへ連結する仕様の筐体を予め製作する必要があり、筐体を製作する金型コストが高くなるのみならず、２種類の仕様の筐体を管理する手間も生じるものであった。
【０００５】
本発明は、このような実情に着目してなされたものであって、支持レールの有無にかかわらず簡単に取付けることができる光成端箱、および、その取付け構造を提供することを目的とするものである。
【課題を解決するための手段】
【０００６】
上記目的を達成するために、本発明は以下のように構成した。
【０００７】
第１の発明は、
光ケーブルから分岐光ファイバを分岐させる光成端箱であって、
前面が開放されたあるいは前面が開放可能な筐体と、
前記光ケーブルと前記分岐光ファイバとの間の分岐部位を支持するために、筐体底面と平行に前記筐体に収納されるベース板と、
光成端箱装着環境に配備される支持レールに当該光成端箱を取付ける取付け用金具を前記筐体の底面外側に着脱可能に取り付ける雄型連結具を挿通させるために前記筐体の底面に形成された連結孔と、
前記雄型連結具を筐体内側から前記連結孔を挿通させて前記取り付け用金具に連結させる作業を許容するために、前記ベース板に形成された切欠と、
を備える。
【０００８】
第２の発明は、
光ケーブルから分岐光ファイバを分岐させる光成端箱であって、
前面が開放されたあるいは前面が開放可能な筐体と、
前記光ケーブルと前記分岐光ファイバとの間の分岐部位を支持するために、筐体底面と平行に前記筐体に収納されるベース板と、
光成端箱装着環境に配備される支持レールに当該光成端箱を取付ける取付け用金具と、
前記取付け用金具を、前記筐体の底面外側に着脱可能に取り付ける雄型連結具と、
前記筐体の底面に形成された前記雄型連結具用の連結孔と、
前記雄型連結具を筐体内側から前記連結孔を挿通させて前記取り付け用金具に連結させる作業を許容するために、前記ベース板に形成された切欠と、
を備える。
【０００９】
これらの構成によると、光成端箱と取付け用金具を予め用意して工事現場に持ち込み、現場に支持レールが備えられている場合には、取付け用金具を筐体の底面外側に取り付け、この取付け用金具を介して光成端箱を支持レールに取付け、支持レールが備えられていない工事現場では、取付け用金具を用いることなく光成端箱を所定位置に取り付ける。
【００１０】
取付け用金具を用いる場合、取付け用金具を筐体に連結してから支持レールに取付けるか、あるいは、先に取付け用金具を支持レールに装着してから、取付け用金具に筐体を連結することができる。いずれの取付け作業においても、雄型連結具を筐体内側から前記連結孔を挿通させて取り付け用金具に連結させる作業を許容する切欠をベース板に形成しているために、ベース板が上記取付け作業の邪魔になることはない。
【００１１】
第３の発明は、上記第１、第２の発明において、
前記取付け用金具を複数の異なった姿勢で取り付ける複数組の前記連結孔を筐体の底面に形成し、これら連結孔に対応する複数の前記切欠を前記ベース板に形成してあるものである。
【００１２】
この構成によると、複数組の連結孔のいずれかを選択することで、筐体に対して取付け用金具を異なった姿勢で連結することができ、これによって、支持レールに対する光成端箱の取付け姿勢を変更設定することができる。
【００１３】
第４の発明は、上記第１または第２の発明において、
前記筐体における対向する側板を脱着可能に構成してあるものである。
【００１４】
この構成によると、筐体が前面のみならず側方にも大きく開放されることになり、筐体内部でのファイバ分岐操作を広い作業空間で容易に行うことができる。
【００１５】
第５の発明は、上記第１または第２の発明において、
前記取付け用金具は、前記支持レールの幅方向両端辺に形成された取付け用フランジの一方に係止される固定係合部と、他方の前記取付け用フランジに係脱される可動係合部材とを有するものである。
【００１６】
この構成によると、光成端箱を支持レールに取り付ける場合、先ず、取付け用金具の固定係合部を支持レールの一方の取付け用フランジに係止し、次に、可動係合部材を移動させて他方の取付け用フランジに係止することで、取付け用金具を簡単容易に支持レールの所望位置に連結することができる。
【００１７】
また、光成端箱を支持レールから取外す場合には、上記手順とは逆に、先ず可動係合部材を移動させて他方の取付け用フランジから離脱させた後、取付け用金具の固定係合部を一方の取付け用フランジから離脱させればよい。
【００１８】
第６の発明は、上記第５の発明において、
前記可動係合部材を係合作用位置に固定操作可能に構成してあるものである。
【００１９】
この構成によると、支持レールに取付け用金具を連結した後、可動係合部材を係合作用位置に固定操作することで、光成端箱が支持レールに対して不用意に位置ズレしたり、脱落するようなことが確実に防止される。また、可動係合部材の固定を解除することで、支持レールからの取付け用金具の取り外しが可能となる。
【００２０】
第７の発明は、上記第５または第６の発明において、
前記可動係合部材の固定操作部位を前記筐体の外方に突出配備してあるものである。
【００２１】
この構成によると、可動係合部材の固定操作あるいは固定解除操作を、筐体の外方において目視しながら的確容易に行うことができる。
【００２２】
第８の発明は、上記第６または第７の発明において、
前記支持レールの長手方向複数箇所に対応する複数の取付け用金具を前記筐体に装着するとともに、各可動係合部材を一体移動可能に単一の操作部材で連結してあるものである。
【００２３】
この構成によると、光成端箱を支持レールの長手方向複数箇所において確実強固に連結することができるとともに、複数の取付け用金具における各可動係合部材を単一の操作部材を介して同時に移動操作することができ、支持レールからの光成端箱の取り外し操作を迅速容易に行うことができる。
【００２４】
第９の発明は、上記第８の発明において、
複数の取付け用金具を単一の支持ベースに連結するとともに、前記支持ベースに対して前記筐体を支点周りに回動可能に連結するよう構成してあるものである。
【００２５】
この構成によると、支持レールに連結する光成端箱の姿勢を任意に変更設定することができ、光成端箱に接続される光ケーブル、あるいは、光成端箱から導出される分岐光ファイバの引き回しを現場の情況に対応して好適に行うことができる。
【発明の効果】
【００２６】
このように、本発明によれば、支持レールの有無にかかわらず光成端箱を簡単かつ確実に取付けることができる。
【発明を実施するための最良の形態】
【００２７】
以下、本発明の実施の形態のいくつかを図面に基づいて説明する。
【００２８】
図１〜図１０に、光成端箱取付け構造の第１の実施の形態が示されている。
【００２９】
図６、図７に示すように、この光成端箱Ａは、樹脂成形された筐体１の内部に、筐体底面と平行にベース板２が収容固定され、筐体１の一側面から挿入された光ケーブル３から多数本の分岐光ファイバ４が分岐されて、筐体１の対向する側面に装備された光接続アダプタ５に接続されるように構成されており、光ケーブル３と分岐光ファイバ４との間の分岐部位がベース板２の上下面において支持されるようになっている。
【００３０】
図８に示すように、筐体１は、ケース本体１ａ、これの前面に連結される前カバー１ｂ、両者の間に挟持される一対の側板１ｃとで構成されており、前カバー１ｂの四隅に形成されたボス部１ｄに連結ネジ６が挿通されて、ケース本体１ａの四隅に備えられたボス部１ｅに締め込み連結されるようになっている。このように筐体１は、ケース本体１ａと側板１ｃとからなり前面が開放された筐体本体に、前カバー１ｂを取り外し可能に装着した構成を備える。
【００３１】
側板１ｃは、ケース本体１ａと前カバー１ｂの対向する端辺に溝嵌合されており、前カバー１ｂを取外すことで側板１ｃを抜き外すことが可能となっている。
【００３２】
ケース本体１ａの底面４箇所にはボス部１ｆが突設されており、これらボス部１ｆに載置されたベース板２が筐体内方から装着した連結ネジ７によってケース本体１ａの底面と平行に連結固定される。
【００３３】
ケース本体１ａの底面における４周辺近くには４個１組の連結孔８が形成されており、その対向する２組の連結孔８を用いて一対の取付け用金具１０がケース本体１ａの背面に連結されるようになっている。
【００３４】
取付け用金具１０は、現場（光成端箱装着環境）に配備固定された支持レール１１に光成端箱Ａを取り付ける際に利用されるものであって、矩形平板からなる支持ベース１２、支持ベース１２の背面に雄型連結具の一例である連結雄ネジ１６によってネジ連結される金具本体１３、金具本体１３の内部に組みつけられる可動係合部材１４、等によって構成されている。
【００３５】
支持レール１１は、マンションやオフィスビルなどの施設における配電室などの（光成端箱装着環境）に配備されて、主として横向きにネジ連結固定されるものであり、その幅方向の両端辺に一対の取付け用フランジ１１ａ，１１ｂを備えたもの（ＤＩＮレールなど）が用いられる。
【００３６】
支持ベース１２の四隅にはネジ孔１５が形成されており、ケース本体１ａに形成された１組の連結孔８に筐体内方から挿入された連結雄ネジ１６を支持ベース１２のネジ孔１５に締め込むことで取付け用金具１０を筐体背面（筐体底面外側）の所定位置に着脱可能に固定することができるようになっている。
【００３７】
ベース板２は、切欠３０を有している。切欠３０は、連結雄ねじ１６を筐体内側から連結孔８を挿通させて取り付け用金具１０に連結させる作業を許容するものである。切欠３０は、ベース板２が筐体１に装着された状態において各連結孔８の上方に位置する。また、切欠３０は、連結雄ねじ１６のねじ頭が挿通可能である大きさ（径）を備え、さらには光成端箱Ａを装着環境に設置する作業者が、前面カバー１ｂを取り外した筐体内側から連結雄ねじ１６を連結孔８に挿通させたうえでさらに連結雄ねじ１６を取り付け用金具１０に連結させる作業が容易となる大きさ（径）を備える。切欠３０としては、ベース板２の端部を切欠いて形成した形状もよいし、ベース板２の中央部に貫通孔として形成した形状でもよい。
【００３８】
金具本体１３は、金属板材を断面形状コの字形に屈曲して上下に長く形成されており、その開放側の端辺には、支持レール１１の一方の取付け用フランジ１１ａに係止される固定係合部１７が凹入形成されている。
【００３９】
可動係合部材１４も金属板材を屈曲して形成されており、その長手方向中間部に形成した長孔１８に、金具本体１３に貫通装着した支持ピン１９が挿通され、可動係合部材１４が長孔１８を介して上下に移動可能に支持されている。
【００４０】
可動係合部材１４には、金具本体１３から露出する係合爪部１４ａが形成されており、可動係合部材１４を上方に移動させることで、係合爪部１４ａを支持レール１１における下方の取付け用フランジ１１ｂに係止させることができるようになっている。
【００４１】
金具本体１３に可動係合部材１４を上下移動可能に支持する支持ピン１９にはねじりバネ２０が外嵌装着され、このねじりバネ２０の弾力によって可動係合部材の係合爪部１４ａが金具本体１３から露出する方向に付勢されている。
【００４２】
金具本体１３の下端部近くには図中上下に長い長孔２１が形成され、この長孔２１に挿通した固定用ネジ２２が可動係合部材１４の下端部近くにねじ込み連結されている。
【００４３】
取付け用金具１０を筐体１に連結した状態において、支持ベース１２の金具本体連結部位（固定用ネジ２２およびその固定操作部）が筐体１の外方に突出されて、固定用ネジ２２およびその固定操作部位を前方から目視操作することができるようになっている。なお、支持ベース１２の金具本体連結部位（固定用ネジ２２およびその固定操作部）が筐体１の外方に突出するとは、筐体１の裏面から金具本体連結部位が突出していることだけを意味するのではなく、筐体１や支持ベース１２等を支持レール１１のレール面に投影させた状態で金具本体連結部位が筐体１の側面の外方に位置することすべてを意味する。
【００４４】
この例の光成端箱取付け構造は以上のようであり、支持レール１１への取付け用金具１０の装着手順を図９に基づいて説明する。
【００４５】
この場合、取付け用金具１０は、先にケース本体１ａに連結して、その後、ケース本体１ａに連結した取付け用金具１０を支持レール１１に装着操作する手順、あるいは、先に取付け用金具１０を支持レール１１に装着してから、支持レール１１に装着した取付け用金具１０にケース本体１ａを連結操作する手順のいずれかを選択することができる。いずれの手順においても取付け用金具１０をケース本体１ａに連結する手順は、連結雄ねじ１６を筐体内側から連結孔８を挿通させて取り付け用金具１０に連結させることで実施される。その際、筐体内部にはベース板２が先に取付けられており、連結雄ねじ１６を取り付け用金具１０に連結させる作業において、ベース板２が邪魔になることが考えられるが、ベース板２には切欠３０が形成されており、連結雄ねじ１６を切欠３０に挿通させることでベース板２が上記作業の邪魔になることはない。
【００４６】
なお、筐体１の一側面から光ケーブル３を挿入させたうえで、光ケーブル３を筐体内で多数本の分岐光ファイバ４に分岐させ、さらに、多数本の分岐光ファイバ４を、筐体１の対向する側面に装備された光接続アダプタ５に接続する作業は、光成端箱Ａを支持レール１１に装着したのち実施される。
【００４７】
支持レール１１へ取付け用金具１０を装着するに際しては、図９（ａ）に示すように、取付け用金具１０を支持レール１１に前方から近づけ、図９（ｂ）に示すように、先ず、取付け用金具１０を斜め姿勢にして固定係合部１７を上方の取付け用フランジ１１ａに上方から係止する。
【００４８】
次に、図９（ｂ）中の矢印で示すように、固定係合部１７の係止箇所を中心にして取付け用金具１０を支持レール側に揺動させる。この揺動によって可動係合部材１４における係合爪部１４ａの傾斜外縁が下方の取付け用フランジ１１ｂの端縁に押し付けられ、さらに強く揺動操作することで、その押し付け反力によって可動係合部材１４が下方に押し動かされる。
【００４９】
取付け用フランジ１１ｂが係合爪部１４ａを乗越えたところで、図９（ｃ）に示すように、可動係合部材１４がねじりバネ２０の弾力によって上方に移動して取付け用フランジ１１ｂに係合爪部１４ａを係止させる。
【００５０】
その後、固定用ネジ２２を締め込み操作して可動係合部材１４の下部を上方に引き寄せることで、係合爪部１４ａを取付け用フランジ１１ｂに強固に係止させるとともに、固定用ネジ２２が金具本体１３に固定される。これにより、可動係合部材１４が上下に移動することが阻止される。さらにこれによって、取付け用金具１０が支持レール１１に対して長手方向にズレ動いたり、脱落することが阻止される。
【００５１】
なお、固定用ネジ２２を弛めて可動係合部材１４を下方に移動操作して、上記手順を逆に行うことで取付け用金具１０を支持レール１１から取り外すことができる。また、図９における取付け用金具１０の取付向き（図中の上下）は、あくまでも説明のために本明細書において仮に設定したものであって、実際の取付け用金具１０の取付向きは、図９とは上下が逆になる等種々変化し、支持レール１１の取付向きによっては水平の向きや斜めの向きになることもありえる。
【００５２】
図１１〜図１６に、光成端箱取付け構造の第２の実施の形態が示されている。この例における光成端箱Ａ、および、取付け用金具１０の構成は第１の実施の形態と同様であるが、取付け用金具１０の操作性を高めるために以下のような構成が付加されている。
【００５３】
すなわち、この例においては、一対の取付け用金具１０における各可動係合部材１４が固定用ネジ２２を介して共通の操作部材２３で連結されている。
【００５４】
操作部材２３は、横長金属板材の両端部を上方に屈折して構成されており、両端の上方屈折部２３ａに形成したバカ孔２４に固定用ネジ２２が挿通されて、金具本体１３の内部に配備された可動係合部材１４にねじ込み連結されている。
【００５５】
この構成によると、左右一対の取付け用金具１０における固定用ネジ２２を弛めた状態で、筐体１の下側外方に露出している操作部材２３を引き下げることで、左右の可動係合部材１４を同時に下方に移動させて支持レール１１の取付け用フランジ１１ｂから離脱させることができ、支持レール１１に対する取付け用金具１０の脱着操作が容易なものとなる。
【００５６】
図１７〜図２２に、光成端箱取付け構造の第３の実施の形態が示されている。
【００５７】
この例における光成端箱Ａの構成、および、取付け用金具１０の基本構成は第１の実施の形態と同様であるが、取付け用金具１０に以下に示すような改造が施されている。
【００５８】
すなわち、この例においては、一対の取付け用金具１０の支持ベース１２は筐体Ａからはみ出る大きさの単一のもので共用されており、この支持ベース１２の両端はみ出し部位にそれぞれ金具本体１３が連結されている。
【００５９】
また、第２の実施の形態と同様に、左右の金具本体１３に亘って横長板材からなる操作部材２３が固定用ネジ２２を介して架設されて、各金具本体１３に組み込まれた左右の可動係合部材１４を同時に移動操作できるよう構成されている。操作部材２３の中央部には操作部２３ｂが筐体外方に突出するよう屈折延出されている。これにより、可動係合部材１４の移動固定操作ならびに固定解除操作を筐体１の外側で実施することが可能となってその作業の容易化が図られている。
【００６０】
図２３に、第３の実施の形態の変形例が示されている。
【００６１】
この例において、一対の取付け用金具１０に共用される支持ベース１２の中央部位に連結孔２５が形成され、ケース本体１ａの底面中央部位に形成した中央連結孔２６に挿通される中央連結ネジ２７が連結孔２５に連結されるようになっている。これによると、中央連結ネジ２７を支点として回動することで、筐体１を横長姿勢あるいは縦長姿勢に切換え選択して連結することが可能である。
【００６２】
図２４〜図２９に、光成端箱取付け構造の第４の実施の形態が示されている。
【００６３】
この実施の形態における光成端箱Ａの構成、および、取付け用金具１０の基本構成は第１の実施の形態と同様であるが、取付け用金具１０に以下に示すような改造が施されている。
【００６４】
すなわち、この実施の形態においては、一対の取付け用金具１０の支持ベース１２の一端辺から一対の連結片１２ａが直角に屈折延出されるとともに、支持ベース１２の四周辺には金具本体１３をネジ連結する連結孔２８がそれぞれ形成されている。
【００６５】
この構成によると、図２４〜図２６に示すように、支持ベース１２の上端に連結片１２ａが位置し、金具本体１３が左右端に位置するように金具本体１３を連結することで、ケース本体１ａを上向きにした水平姿勢で光成端箱Ａを支持することができ、また、図２７〜図２９に示すように、支持ベース１２の左右端に連結片１２ａが位置し、金具本体１３が左右端に位置するように金具本体１３を連結することで、ケース本体１ａを横向きにした起立姿勢で光成端箱Ａを支持することができる。
【００６６】
本発明は、以下のような形態で実施することもできる。
【００６７】
（１)上述の実施形態では、ベース板２を筐体１に装着した状態で連結雄ネジ１６を筐体内方から締付け操作して取付け用金具１０を装着することになるが、ベース板２を筐体１に取り外した状態で、連結雄ネジ１６を筐体内方から締付け操作して取付け用金具１０を筐体外面に装着したうえで、ベース板２を筐体１に装着することができる。
【００６８】
（２）筐体１は、前カバー１ｂを備えない開放型のものであってもよい。
【図面の簡単な説明】
【００６９】
【図１】本発明の第１の実施の形態の光成端箱取付け構造を示す斜視図である。
【図２】第１の実施の形態の光成端箱取付け構造を示す側面図である。
【図３】第１の実施の形態の光成端箱取付け構造を示す正面図である。
【図４】第１の実施の形態の光成端箱取付け構造を示す底面図である。
【図５】第１の実施の形態の光成端箱取付け構造を示す分解斜視図である。
【図６】光成端箱の内部構造を示す正面図である。
【図７】光成端箱の横断面図である。
【図８】筐体を背部から見た分解斜視図である。
【図９】取付け用金具の装着手順を示す縦断側面図である。
【図１０】第１の実施の形態の光成端箱取付け構造における別の取付け形態を示す正面図である。
【図１１】本発明の第２の実施の形態の光成端箱取付け構造を示す斜視図である。
【図１２】第２の実施の形態の光成端箱取付け構造を示す側面図である。
【図１３】第２の実施の形態の光成端箱取付け構造を示す正面図である。
【図１４】第２の実施の形態の光成端箱取付け構造を示す底面図である。
【図１５】第２の実施の形態の光成端箱取付け構造を示す分解斜視図である。
【図１６】取付け用金具の装着手順を示す縦断側面図である。
【図１７】本発明の第３の実施の形態の光成端箱取付け構造を示す斜視図である。
【図１８】第３の実施の形態の光成端箱取付け構造を示す側面図である。
【図１９】第３の実施の形態の光成端箱取付け構造を示す正面図である。
【図２０】第３の実施の形態の光成端箱取付け構造を示す底面図である。
【図２１】第３の実施の形態の光成端箱取付け構造を示す分解斜視図である。
【図２２】取付け用金具の装着手順を示す縦断側面図である。
【図２３】第３の実施の形態の光成端箱取付け構造の変形例を示す分解斜視図である。
【図２４】本発明の第４の実施の形態の光成端箱取付け構造を示す斜視図である。
【図２５】第４の実施の形態の光成端箱取付け構造を示す側面図である。
【図２６】第４の実施の形態の光成端箱取付け構造を示す分解斜視図である。
【図２７】第４の実施の形態の光成端箱取付け構造における別の取付け形態を示す斜視図である。
【図２８】第４の実施の形態の光成端箱取付け構造における別の取付け形態を示す側面図である。
【図２９】第４の実施の形態の光成端箱取付け構造における別の取付け形態を示す分解斜視図である。
【符号の説明】
【００７０】
１              筐体
２              ベース板
３              光ケーブル
４              分岐光ファイバ
８              連結孔
１０            取付け用金具
１１            支持レール
１１ａ          取付け用フランジ
１１ｂ          取付け用フランジ
１４            可動係合部材
１６            連結雄ネジ
１７            固定係合部
２２            操作部材
３０            切欠
【図１】
2010054894.tif 000003
【図２】
2010054894.tif 000004
【図３】
2010054894.tif 000005
【図４】
2010054894.tif 000006
【図５】
2010054894.tif 000007
【図６】
2010054894.tif 000008
【図７】
2010054894.tif 000009
【図８】
2010054894.tif 000010
【図９】
2010054894.tif 000011
【図１０】
2010054894.tif 000012
【図１１】
2010054894.tif 000013
【図１２】
2010054894.tif 000014
【図１３】
2010054894.tif 000015
【図１４】
2010054894.tif 000016
【図１５】
2010054894.tif 000017
【図１６】
2010054894.tif 000018
【図１７】
2010054894.tif 000019
【図１８】
2010054894.tif 000020
【図１９】
2010054894.tif 000021
【図２０】
2010054894.tif 000022
【図２１】
2010054894.tif 000023
【図２２】
2010054894.tif 000024
【図２３】
2010054894.tif 000025
【図２４】
2010054894.tif 000026
【図２５】
2010054894.tif 000027
【図２６】
2010054894.tif 000028
【図２７】
2010054894.tif 000029
【図２８】
2010054894.tif 000030
【図２９】
2010054894.tif 000031